(57)【要約】【課題】パチンコ機の外枠について、その内側収容スペースの幅方向の寸法を大きくする。【解決手段】遊技盤が取り付けられる前枠１００がその一縁部を中心に回動可能に取り付けられるパチンコ機の外枠１０であって、中空の金属材料によって形成されほぼ鉛直方向に延びる左右一対の縦枠材３０ａ，３０ｂと、縦枠材３０ｂに対して回動可能に取り付けられ、前枠１００に設けられた被係止部１３２に対して係止するための係止用位置と係止しないための被係止用位置との間を変位可能な係止部材６０とを有し、係止部材６０のうちの少なくとも縦枠材３０ｂに対して回動可能に取り付けられる部分は、縦枠材３０ｂの内部空間内に位置し、被係止部１３２に対して係止する部分は、縦枠材３０ｂの手前側の部分に形成されたスリット３５を通して縦枠材３０ｂの外部に位置する。【選択図】図１
2007054296.tif 000002
【特許請求の範囲】
【請求項１】
遊技盤が取り付けられる前枠がその一縁部を中心に回動可能に取り付けられるパチンコ機の外枠であって、
中空の金属材料によって形成されほぼ鉛直方向に延びる左右一対の縦枠材と、
前記縦枠材に対して回動可能に取り付けられ、前記前枠に設けられた被係止部に対して係止するための係止用位置と係止しないための被係止用位置との間を変位可能な係止部材とを有し、
前記係止部材のうちの少なくとも前記縦枠材に対して回動可能に取り付けられる部分は、前記縦枠材の内部空間内に位置し、
前記係止部材のうちの前記被係止部に対して係止する部分は、前記縦枠材の手前側の部分に形成された間隙を通して当該縦枠材の外部に位置するものである、
パチンコ機の外枠。
【請求項２】
請求項１に記載のパチンコ機の外枠であって、
前記縦枠材は、２枚の金属板が結合されて形成されている、
パチンコ機の外枠。
【発明の詳細な説明】
【技術分野】
【０００１】
本発明は、パチンコ機の外枠に関するものである。
【背景技術】
【０００２】
一般的に、パチンコ機は前枠及び外枠を有し、前枠は、外枠に対して開閉（回動）可能に取り付けられている。前枠には遊技盤等が取り付けられ、遊技盤には、各種の入賞口や役物（センター役物）等が設けられている。遊技盤の裏側には、制御装置，パチンコ球供給装置等の各種の部品が設けられている。
【０００３】
外枠は、全体として長方形状の枠状をしており、上下一対の横枠材と、左右一対の縦枠材とが結合されて形成されている。
そして、そのパチンコ機（外枠）は、パチンコホールにおける取付壁部に設けられた各区画（「島」ともいわれる）に対して取り付けられる。
【０００４】
外枠（その縦枠材）及び前枠のうちの一方には被係止部（被係止部材）が設けられ、他方には係止部材が設けられている。係止部材は、被係止部に対して係止するための係止用位置と、被係止部に対して係止しないための被係止用位置との間を変位可能である。
そして、前枠が外枠に閉じられた状態で係止部材が被係止部に対して係止することによって、前枠が外枠に対して固定される。
【０００５】
そして、従来の一般的な外枠は、木材によって形成されている。すなわち、その横枠材及び縦枠材は木材によって形成されている（横枠材及び縦枠材に付随するものについては、木材のものとそれ以外のものの場合がある）。
【０００６】
ところで、近年、遊技盤に設けられる役物（センター役物）等が大きなものとなってきており、それに伴って、遊技盤の裏側に設けられる各種の部品も大きなものとなってきている。このため、その分、外枠の内側寸法（特にその幅方向の内側寸法であり、正確には、外枠の内側収容スペースの幅方向の寸法）が大きくされる必要がある。
一方、パチンコホールにおける各区画の大きさは所定のものに設定されている。
このため、外枠（特に縦枠材）の幅が狭くされる（肉厚が薄くされる）ことが求められている。
一方では、外枠は、所定以上の強度を有する必要がある。
このことから、特許文献１には、外枠を金属材料で形成する、という技術的思想が開示されている。
【０００７】
また、前述のように、外枠の縦枠材には係止部材又は被係止部が設けられるのであり、外枠の縦枠材に係止部材が設けられる場合、従来においては、特許文献２に示すように、係止部材は、外枠の縦枠材（中実）の内側面に対して回動可能に設けられている。
【０００８】
しかしながら、それでは、仮に外枠が特許文献１のように金属材料で形成されたとしても、係止部材が外枠の縦枠材の内側面に設けられる分、外枠の内側収容スペースの幅方向の寸法が小さくなってしまう。
【特許文献１】特開２００４−１８８０６５公報
【特許文献２】特開平１０−１７９８８８公報
【発明の開示】
【発明が解決しようとする課題】
【０００９】
本発明は、パチンコ機の外枠について、その内側収容スペースの幅方向の寸法を大きくできるようにすることを目的とする。
【課題を解決するための手段】
【００１０】
上記の目的を達成するために、請求項１に係る発明は、遊技盤が取り付けられる前枠がその一縁部を中心に回動可能に取り付けられるパチンコ機の外枠であって、中空の金属材料によって形成されほぼ鉛直方向に延びる左右一対の縦枠材と、前記縦枠材に対して回動可能に取り付けられ、前記前枠に設けられた被係止部に対して係止するための係止用位置と係止しないための被係止用位置との間を変位可能な係止部材とを有し、前記係止部材のうちの少なくとも前記縦枠材に対して回動可能に取り付けられる部分は、前記縦枠材の内部空間内に位置し、前記係止部材のうちの前記被係止部に対して係止する部分は、前記縦枠材の手前側の部分に形成された間隙を通して当該縦枠材の外部に位置するものである、パチンコ機の外枠である。
【００１１】
上記発明のパチンコ機の外枠においては、縦枠材が中空の金属材料によって形成されているため、縦枠材は、木材によって形成される場合と比較して、所定の強度を維持しつつ、幅狭に形成され得る。このため、その分、外枠の幅方向における内側寸法（両縦枠材の間の距離）が大きくされ得る。
そして、上記発明のパチンコ機の外枠においては、前枠に設けられた被係止部に対して係止するための係止用位置と係止しないための被係止用位置との間を変位可能な係止部材のうちの少なくとも縦枠材に対して回動可能に取り付けられる部分が、縦枠材の内部空間内に位置し、係止部材のうちの被係止部に対して係脱可能に係止する部分は、縦枠材のうちの手前側の部分に形成された間隙を通して縦枠材の外部に位置している。
このため、縦枠の内側面（パチンコ機としての内側の面）に対して係止部材が回動可能に設けられる場合よりも、外枠の内側収容スペースの幅方向の寸法が大きくされ得る。
【００１２】
請求項２に係る発明は、請求項１に係る発明のパチンコ機の外枠であって、前記縦枠材は、２枚の金属板が結合されて形成されている、パチンコ機の外枠である。
【００１３】
上記発明のパチンコ機の外枠では、請求項１に係る発明のパチンコ機の外枠の作用効果に加えて、次の作用効果が得られる。
すなわち、この外枠では、縦枠材が２枚の金属板が結合されて形成されているため、容易に中空状とされ得るとともに、その内部空間内に係止部材を容易に配設することができる。
【発明の効果】
【００１４】
以上のように、本発明のパチンコ機の外枠では、その内側収容スペースの幅方向の寸法を大きくすることができる。
【発明を実施するための最良の形態】
【００１５】
次に、本発明の一実施形態について、図面に基づいて説明する。
図１に示すように、パチンコ機は、前枠１００及び外枠１０を有している。前枠１００は、外枠１０に対して、閉位置と開位置との間を変位可能に取り付けられる。
【００１６】
前枠１００には、遊技盤（図示省略）等が設けられる。遊技盤には、多数の釘，風車，各種の入賞口，センター役物等の各種の部品（いずれも図示省略）が取り付けられている。
遊技盤の裏側には、制御装置，パチンコ球供給装置等の各種の部品（いずれも図示省略）が取り付けられる。
【００１７】
図１〜図３に示すように、外枠１０は、全体として、縦長の長方形の枠状をしている。そして、ほぼ左右対称の構造を有している。
外枠１０は、上下一対の横枠材２０ａ，２０ｂ及び左右一対の縦枠材３０（３０ａ，３０ｂ）を有している。
各横枠材２０ａ，２０ｂと各縦枠材３０（３０ａ，３０ｂ）とは、結合金具８０を介して結合されている。
【００１８】
一対の横枠材２０ａ，２０ｂは、ともにほぼ水平方向に延びる帯板状をしている。各横枠材２０ａ，２０ｂは、木材によって形成されている。各横枠材２０ａ，２０ｂは、その縦断面において、奥行方向（パチンコ機の奥行方向）に延びている。
下方の横枠材２０ｂの手前側には、前板部材２８が取り付けられている。前板部材２８も、ほぼ水平に延びる帯板状をしている。前板部材２８は、その縦断面において、ほぼ鉛直方向に延びている。前板部材２８も木材によって形成されている。
【００１９】
一対の縦枠材３０（３０ａ，３０ｂ）は、ともにほぼ鉛直に延びている。
図４及び図５に示すように、各縦枠材３０（３０ａ，３０ｂ）は、外側縦枠材４０と内側縦枠材５０が結合されて形成されている。
なお、図４及び図５には右側の縦枠材３０ｂのみが示されているが、左側の縦枠材３０ａも、係止部材６０（後述）等を有していない点で右側の縦枠材３０ａと相違するのみであり、その他の大半については、右側の縦枠材３０ｂと対称的な構造を有している。
外側縦枠材４０及び内側縦枠材５０とも、ほぼ鉛直に延びるほぼ帯板状をしており、金属板によって形成されている。金属としては、鉄，アルミニウム合金，マグネシウム合金等がある。
【００２０】
図５に示すように、外側縦枠材４０は、奥行方向部４１，手前側重合部４２ａ，奥側重合部４２ｂを有している。
奥行方向部４１は、その横断面において、奥行方向に延びている。手前側重合部４２ａは、その横断面において、奥行方向部４１の手前側の縁部から内側方向（パチンコ機としての内側方向）に延びている。同様に、奥側重合部４２ｂは、その横断面において、奥行方向部４１の奥側の縁部から内側方向に延びている。
【００２１】
内側縦枠材５０は、第１奥行方向部５１ａ，幅方向部５３，第２奥行方向部５１ｂ，手前側重合部５２ａ，奥側重合部５２ｂを有している。
第１奥行方向部５１ａは、手前側に位置し、その横断面において奥行方向に延びている。第２奥行方向部５１ｂは、奥側に位置し、その横断面において奥行方向に短く延びている。幅方向部５３は、第１奥行方向部５１ａと第２奥行方向部５１ｂとの間に位置し、その横断面において幅方向に短く延びている。
手前側重合部５２ａは、その横断面において、第１奥行方向部５１ａの手前側の縁部から外側方向（パチンコ機としての外側方向）に延びている。同様に、奥側重合部５２ｂは、その横断面において、第２奥行方向部５１ｂの奥側の縁部から外側方向に延びている。
【００２２】
外側縦枠材４０の手前側重合部４２ａと内側縦枠材５０の手前側重合部５２ａとが重ね合わされ、外側縦枠材４０の奥側重合部４２ｂと内側縦枠材５０の奥側重合部５２ｂとが重ね合わされている。
【００２３】
外側縦枠材４０と内側縦枠材５０とは、次のように、直接的に及び間接的に結合されている。
図４に示すように、外側縦枠材４０に形成されたビス孔４８及び内側縦枠材５０に形成されたビス孔５８に対して、ビス（図示省略）が螺合されている。
一方、図２及び図３に示すように、結合金具８０は、略水平部８２及び略鉛直部８３を有している。
略鉛直部８３に形成されたビス孔（符号省略）及び外側縦枠材４０に形成されたビス孔４９（図４）に対してビス（図示省略）が螺合されている。
また、図４に示すように、内側縦枠材５０の上端部及び下端部には、内側方向（パチンコ機としての内側方向）に向かうフランジ５７が形成されている。図２及び図３に示すように、結合金具８０の略水平部８２に形成されたビス孔（符号省略）及びフランジ５７（図４）に形成されたビス孔５９（図４）を通して、ビス（図示省略）が、横枠材２０ａ，２０ｂに対して螺合されている。
こうして、図２及び図３に示すように、結合金具８０を介して、外側縦枠材４０と内側縦枠材５０とが間接的に結合されている。また、結合金具８０を介して、横枠材２０ａ，２０ｂと縦枠材３０（３０ａ，３０ｂ）（外側縦枠材４０及び内側縦枠材５０）とが結合されている（このことは前述）。
以上のようにして、外側縦枠材４０と内側縦枠材５０とが結合されて、縦枠材３０（３０ａ，３０ｂ）が形成されている。
【００２４】
そして、図５に示すように、縦枠材３０（３０ａ，３０ｂ）のほとんどすべての部分において、外側縦枠材４０の奥行方向部４１と内側縦枠材５０の第１奥行方向部５１ａ，幅方向部５３，第２奥行方向部５１ｂとの間には空間が存在している。
以上のようにして、各縦枠材３０（３０ａ，３０ｂ）は、中空に形成されている。
【００２５】
図２及び図３に示すように、外枠１０の左下部には、軸用金具９０が設けられている。軸用金具９０には、回動支持軸９５が形成されている。
外枠１０の４隅に対応して配設された４つの結合金具８０のうちの左上の結合金具８０には、軸孔形成部８４が設けられている。軸孔形成部８４には軸孔８５が形成されている。
【００２６】
一方、図１に示すように、前枠１００の左下部（前枠１００が閉位置に位置する状態における左下部。以下同様）には、軸孔用金具１１０が固定されており、軸孔用金具１１０には軸孔（図示省略）が形成されている。その軸孔には、回動支持軸９５（図２）が相対的に回動可能に挿通される。
図１に示すように、前枠１００の左上部には、軸用金具１２０が固定されており、軸用金具１２０には回動軸（図示省略）が形成されている。その回動軸は、軸孔８５（図２）に対して、回動可能に挿通される。
こうして、図１に示すように、前枠１００は、外枠１０に対して、前枠１００及び外枠１０の左縁部を中心に回動可能に取り付けられる。そして、前枠１００は、外枠１０と合致する閉位置と、外枠１０と合致しない開位置との間を変位する。
【００２７】
図１に示すように、前枠１００のうちの右側の部分には、縦長の帯板状のベース板１３０が取り付けられている。
ベース板１３０には、上下一対のスリット状の被係止部１３２が形成されている。
図７に示すように、前枠１００のうちの右側の部分のうちの少なくとも被係止部１３２に対応する部分は中空状とされており、被係止部１３２に対応して連通孔１０２が形成されている。
【００２８】
図２〜図５等に示すように、外枠１０のうちの右側の縦枠材３０ｂには、前枠１００の上下一対の被係止部１３２（図１）に対応して、上下一対の係止部材６０が設けられている。
【００２９】
図４に示すように、各係止部材６０は、次のように、その基端部において、ピン６１によって回動可能に縦枠材３０ｂに取り付けられている。
すなわち、ピン６１は、内側縦枠材５０の内側（パチンコ機としての内側）から、内側縦枠材５０に形成されたピン孔５６，係止部材６０の基端部に形成されたピン孔６２を相対的に回動可能に貫通し、ピン６１の先端部はかしめられている（図５参照）。
こうして、図３に示すように、各係止部材６０のうちの大部分（基端部の側の部分）は、縦枠材３０ｂの内部空間（内側縦枠材５０と外側縦枠材４０との間）に位置している。
【００３０】
図７に示すように、係止部材６０の先端部はくさび状部６５とされており、くさび状部６５よりも基端部の側の部分は凹状部６６とされている。くさび状部６５と凹状部６６との境界部分にはストッパ部６７が形成されている。
【００３１】
図１〜図３に示すように、右側の縦枠材３０ｂには、各係止部材６０に対応してスリット３５が形成されている。
すなわち、図４に示すように、右側の縦枠材３０ｂのうちの内側縦枠材５０の手前側重合部５２ａにはスリット形成用切欠部５５が形成されており、同じく外側縦枠材４０の手前側重合部４２ａにもスリット形成用切欠部４５が形成されている。
そして、その内側縦枠材５０と外側縦枠材４０とが結合されて縦枠材３０が形成された状態で、スリット形成用切欠部５５及びスリット形成用切欠部４５によってスリット３５（図１〜図３）が形成されている。
図１〜図３，図７に示すように、各係止部材６０の先端部（くさび状部６５，ストッパ部６７等）は、スリット３５を通して、縦枠材３０ｂの外部（手前側）に露出している。
【００３２】
図３及び図４に示すように、上下一対の係止部材６０は、スライダ７０によって次のように連結されている。
スライダ７０は、幅細の帯板状をなし、縦枠材３０ｂの内部空間（内側縦枠材５０と外側縦枠材４０との間）において、縦枠材３０ｂと平行に（すなわちほぼ鉛直に）延びている。
図４に示すように、上方の係止部材６０とスライダ７０の上端部とは、ピン６３によって回動可能に連結されている。すなわち、ピン６３は、係止部材６０のほぼ中央部に形成されたピン孔６４，スライダ７０の上端部に形成されたピン孔７６をその軸回り方向に回動可能に貫通し、ピン６３の先端部はかしめられている（図５参照）。
図４に示すように、下方の係止部材６０とスライダ７０の下端部とも、上述と同様に、ピン６３によって回動可能に連結されている。
【００３３】
図３及び図４に示すように、スライダ７０と内側縦枠材５０との間（縦枠材３０ｂの内部空間内）には、引っ張りスプリング７５が配設されており、スライダ７０は上方に付勢されている。
スライダ７０の下端部の近傍における手前側の縁部には、ストッパ兼被作用部７２が形成されている。ストッパ兼被作用部７２は、その横断面において、内側方向（パチンコ機としての内側方向）に向かって外枠１０の幅方向に延びている。
内側縦枠材５０には、ストッパ兼被作用部７２に対応して、窓部５４が形成されている。図１に示すように、ストッパ兼被作用部７２は、窓部５４を通して、内側縦枠材５０の内側（縦枠材３０ｂの外部）に露出している。
【００３４】
そして、図３に示すように、通常は、スライダ７０は、引っ張りスプリング７５によって上方に付勢されているとともに（このことは前述）、ストッパ兼被作用部７２の上端部が窓部５４の上縁部に当接し、その上昇位置に留まっている。図６において実線で示すように、その状態で、係止部材６０は、ほぼ水平に延びる係止用位置に位置している。
【００３５】
一方、図６において２点鎖線で示すように、ストッパ兼被作用部７２が下方に押圧されることによって、スライダ７０は引っ張りスプリング７５（図３）による上方への付勢力に抗して下降し、係止部材６０は、基端部から先端部に向かうにつれて徐々に下方に傾斜する非係止用位置に位置する。なお、直接的に係止部材６０の先端部が下方に押圧されることによっても、スライダ７０が引っ張りスプリング７５による上方への付勢力に抗して下降しつつ、係止部材６０は非係止用位置に位置する。
【００３６】
そして、前枠１００（図１）が外枠１０に対して閉位置に位置し、各係止部材６０が被係止部１３２に係止することによって、前枠１００が外枠１０に対して施錠される。
すなわち、図７（ａ）→（ｂ）→（ｃ）に示すように、開位置に位置する前枠１００が外枠１０に対して閉位置に向かって接近することによって、係止用位置に位置する係止部材６０のくさび状部６５（その上縁部）が被係止部１３２の上縁部に当接し下方に押圧されてほぼ非係止用位置となる。
そして、図７（ｃ）→（ｄ）に示すように、さらに前枠１００が外枠１０に対して接近して閉位置に位置することによって、係止部材６０が係止用位置に戻り、係止部材６０が非係止部に対して係止する。
こうして、前枠１００は、外枠１０に対して閉位置に位置し施錠状態となる。
【００３７】
図１及び図６に示すように、前枠１００には、ストッパ兼被作用部７２に対応して、解錠作用部材１０４が設けられている。
解錠作用部材１０４は、回動軸１０５を中心に、非押圧用位置（図６において実線で示す）と押圧用位置（図６において２点鎖線で示す）との間を回動可能に設けられている。
解錠作用部材１０４は、通常は、非押圧用位置（実線）に位置するようにされている。そして、前枠１００の前面に設けられた鍵穴を通して所定の鍵が挿通されその鍵が所定の回動操作されることによって、解錠作用部材１０４は押圧用位置（２点鎖線）に位置する。
【００３８】
そして、図６に示すように、前枠１００が外枠１０に対して閉位置に位置し施錠状態にある状態において、所定の鍵が鍵穴に挿通され回動操作されて解錠作用部材１０４が非押圧用位置（実線）から押圧用位置（２点鎖線）に変位することによって、解錠作用部材１０４によってストッパ兼被作用部７２が下方に押圧され、係止部材６０が非係止用位置（２点鎖線）に変位する。こうして、前枠１００は解錠状態となる。
その状態で、前枠１００が外枠１０から離隔するようにされることによって、前枠１００は外枠１０から離隔し、開位置に位置することとなる。
【００３９】
次に、この外枠１０の作用及び効果について説明する。
この外枠１０においては、縦枠材３０（３０ａ，３０ｂ）が金属によって形成されている。
このため、縦枠材３０（３０ａ，３０ｂ）は、木材によって形成される場合と比較して、所定の強度を維持しつつ、幅狭に形成され得る。このため、その分、外枠１０の幅方向における内側寸法（両縦枠材３０（３０ａ，３０ｂ）の間の距離）が大きくされ得る。
また、縦枠材３０（３０ａ，３０ｂ）は、中実の金属ではなく、中空の金属によって形成されているため、その分、軽量化が図られる。
縦枠材３０（３０ａ，３０ｂ）は、各々２枚の板材（外側縦枠材４０，内側縦枠材５０）が結合されて形成されているため、容易に中空状とされ得るとともに、縦枠材３０ｂの内部空間内に係止部材６０（そのうちの基端部の側の部分）等が容易に配設され得る。
【００４０】
そして、この外枠１０においては、外枠１０と前枠１００とを結合するための係止部材６０（そのうちの外枠１０に対して回動可能に連結される部分を含む大半の部分）が縦枠材３０ｂの内部空間内に収容され、係止部材６０の先端部（前枠１００に設けられた被係止部１３２に対して係止する部分）は、縦枠材３０ｂのうちの手前側の部分に形成されたスリット３５を通して露出している。また、スライダ７０（そのうちの大半の部分）等も縦枠材３０ｂの内部空間内に収容されている。
このため、縦枠３０ｂの内側面に対して係止部材６０が回動可能に連結される場合よりも、外枠１０の内側収容スペースの幅方向の寸法が大きくされ得る。
【００４１】
また、横枠材２０ａ，２０ｂが木材によって形成されているため、横枠材２０ａ，２０ｂも金属によって形成されている場合と比較して、軽量化が図られる。それとともに、各横枠材２０ａ，２０ｂを貫通するようにして釘が打ち付けられることによって、パチンコホールの各区画に対して容易に取り付けられ得る。
【００４２】
なお、上記のものはあくまで本発明の一実施形態にすぎず、当業者の知識に基づき種々の変更を加えた態様で本発明を実施できることはもちろんである。
【００４３】
例えば、縦枠材３０（３０ａ，３０ｂ）は、必ずしも２枚の板材（外側縦板材４０及び内側縦板材５０）が結合されて形成されるのではなく、一体的に形成されていてもよい。
【図面の簡単な説明】
【００４４】
【図１】本発明の一実施形態のパチンコ機の外枠及び前枠（開位置に位置する状態）を示す斜視図である。
【図２】本発明の一実施形態のパチンコ機の外枠を示す斜視図である。
【図３】本発明の一実施形態のパチンコ機の外枠を示す斜視図（一部破断）である。
【図４】本発明の一実施形態のパチンコ機の外枠の右側の縦枠材を示す分解斜視図である。
【図５】本発明の一実施形態のパチンコ機の外枠の右側の縦枠材を示す横断面図である。
【図６】本発明の一実施形態のパチンコ機の外枠及び前枠の部分拡大図である。施錠のための状態を実線で示し、解錠のための状態を２点鎖線で示す。
【図７】本発明の一実施形態のパチンコ機の外枠に対して前枠が接近し施錠される過程を示す図である。
【符号の説明】
【００４５】
１０  外枠
３０（３０ａ，３０ｂ）  縦枠材
３５  スリット（間隙）
４０  外側縦枠材
５０  内側縦枠材
６０  係止部材
１００  前枠
１３２  被係止部
【図１】
2007054296.tif 000003
【図２】
2007054296.tif 000004
【図３】
2007054296.tif 000005
【図４】
2007054296.tif 000006
【図５】
2007054296.tif 000007
【図６】
2007054296.tif 000008
【図７】
2007054296.tif 000009